(57)【要約】      （修正有）【課題】鏡形体の様態を自由に変えて、装飾性を変更できる鏡体を磁性板に付着できるようにした装飾性形態に変更可能な鏡具を提供する。【解決手段】横６００〜１０００ｍｍ、縦９００〜２０００ｍｍの磁性を持つ平面を有する磁性化粧板当たりに対して、角形での各辺が接して一体形になる角型形状で一辺の長さ１５０〜３００ｍｍの鏡面の裏面に磁性体シート６を貼りつけた４〜２４個の鏡体３を、前記磁性化粧板上に種々の配置、配列に磁着してデザイン性模様・形態を高めて、鏡面特性と装飾意匠性の両面における機能を引き立たせることを可能にしている装飾性形態に変更可能な鏡具である。【選択図】図１
0003218163.tif 000002
【実用新案登録請求の範囲】
【請求項１】
鏡面特性と装飾意匠性の両面における機能性を引き立たせるために、横６００〜１０００ｍｍ、縦９００〜２０００ｍｍの磁性を持つ平面を有する磁性化粧板当たりに対して、角形での各辺を接して一体化の角形接合形状体になる多角形形状で一辺の長さ１５０〜３００ｍｍの鏡面で、前記鏡面の裏面に磁性体シートを貼りつけた４〜２４個の鏡体を、前記磁性化粧板上にデザイン性模様・形態を高めた種々の配置、配列に磁着できるようにしていることを特徴とする装飾性形態に変更可能な鏡具。
【請求項２】
磁性を持つ平面を有する磁性化粧板は、芯材部に３〜３０ｍｍ木質板材に、表層部に２０〜５００μｍ厚さの紙、又は布、又は樹脂フィルムの表装材と、中間部に２５〜２００μｍ厚さのスチール箔を張った磁性体を吸着させることができる化粧板材であり、前記化粧板材は、芯材部の木質板材に合板、パーチクルボード、ＭＤＦ，フラッシュボードである横６００〜１０００ｍｍ、縦９００〜２０００ｍｍの寸法の木質板材で、前記木質板材の面に紙、布、樹脂上に模様をプリントした表装材とスチール箔とを接着剤によって貼着した三層積層体の磁性化粧体であって、前記磁性化粧体の数体を部屋、廊下、ホール、洗面所の壁面に張り付けた箇所に、前記鏡体の数個を種々の配置、配列によってデザイン性模様・形態を高めて模様化した一体化鏡体で磁着・固定して使用できるようになっていることを特徴とする請求項１に記載の装飾性形態に変更可能な鏡具。
【請求項３】
前記鏡体は、正四角形又は正六角形の角型形状で、１〜５ｍｍ厚さのガラス、及び樹脂、及び金属の材質に鏡面処理したもので、前記鏡体に縁端枠なし、又は縁端枠を取り付けたものもあり、縁端枠ありの場合には２〜２０ｍｍ縁端枠を取り付け、前記縁枠の素材と色彩として木製材、樹脂で、種々の色彩にしており、前記鏡体の裏平面に１〜５ｍｍの厚さの磁性シートを全面から１／３以上に貼りつけており、前記裏平面に貼りつける磁性シートは、フェライト系、希土類系磁石の粉末を樹脂、又はゴムとの混合したシート体にしたものであり、鏡体の裏面に、残留磁束密度（Ｂｒ）＝１〜１３ｋＧ，  保磁力（Ｈｃ）＝１〜１０ｋＯｅの磁性を示していることを特徴とする請求項１、又は請求項２に記載の装飾性形態に変更可能な鏡具。
【請求項４】
前記鏡体の種々組み合わせた配置によって、部屋、廊下、ホール、洗面所の雰囲気で意匠性を高めているために、磁性化粧板上に磁着させる前記鏡体を種々配置、配列を変えたデザイン性模様・形態は、菱形状、十字状、多角形状、略丸型状、花弁状、記号状、数字状、アルファベット状、亀の子状、動物状にしていることを特徴とする請求項１〜請求項３のいずれかに記載の装飾性形態の変更可能な鏡具。
【考案の詳細な説明】
【技術分野】
【０００１】  本考案は、鏡形体の様態を自由に変更できる、装飾性を変更できる鏡体を磁性板に付着できるようにした装飾性形態に変更可能な鏡具に関する。
【背景技術】
【０００２】マグネット用具等に用いるのに最適な、用具に使用するマグネット材料で、学習する人や趣味に持つ人達に、安価な素材を提供するマグネットにおいて強吸着性、使いやすい大型マグネット用具として、マグネット吸着化粧板に付着するマグネット体は、磁石としてはフェライト系、希土類系の単体、或いは前記磁石の粉末を樹脂、又はゴムとの混合したシート体にしたものであり、前記化粧板に付着される家具或いは用具として、ハンガー掛け、物置棚、本棚、フック類、布類掛けバー、額縁掛け棚、及び単色シート、メモ書きシートのマグネットシートの裏面に磁性体シートを貼ったものが提案されている（特許文献１参照）。【０００３】室内において写真、葉書、カード、メモ等の薄片を一時的に或いは当分の間、張っておくことができ、これによって何時でも見ることができる場所としての違和感のない、自然な設備としての額装置として、鏡板を額縁で装飾してなる額装置であって、前記鏡板の背面側に鉄、トタン等の磁石と引っ付く材料からなる板を固定し、若しくは磁石と引っ付くことができる材料からなる粉状体をペースト状にして塗りつけ、これによって前記額縁で縁取られた鏡板の前面において磁石による写真、葉書等の薄片の押さえ留めができるように構成したものが提案されている（特許文献２参照）。【０００４】インテリアとしておしゃれで立体感ある装飾性はもちろん、姿見としての機能性及び／又は各種メモ類の表示機能性を備えた、汎用性を有するインテリア用品を提供すること、部品点数が少なく、製作が容易で、かつ比較的に軽量で、製作コストが安価な、汎用性を有するインテリア用品を提供すること、誕生祝い、結婚祝い又は結婚披露の引き出物等のおしゃれな贈答品として最適な、汎用性を有するインテリア用品を提供するにおいて、インテリア用品は、ガラス材を素材とした鏡面体と薄鉄板からなる表示板、表示板の外周縁を囲繞する枠体、表示板の裏面に当接するクッション体、該クッション体の裏面全体を圧接する裏板、表示板の表面に着脱自在な１〜複数の装飾体である造花を主な構成部材としていることが提案されている（特許文献３参照）。【０００６】部屋、廊下、ホール、洗面所の雰囲気で意匠性を高めるために、鏡形体の様態を自由に変更できる、装飾性を変更できる鏡体を磁性板に付着できるようにした装飾性形態に変更可能な鏡具を取り付けることは知られていない。
【先行技術文献】
【特許文献】
【０００７】
【特許文献１】実用新案登録第３２０７７５４号公報
【特許文献２】実用新案登録第３１０７６１８号公報
【特許文献３】特開２０１３−８２１８９号公報
【考案の概要】
【考案が解決しようとする課題】
【０００８】一般に鏡は自身の容姿を確認するために取り付けられている。特に四角型、円形型などが大部分であり、また取り付けた場合には位置、或いは形状は一定であり、変更して種々の形状することは難しく、部屋内の装飾性、或いは自身の気分によって変更できる鏡は存在していない。
本考案は、特定の形状の鏡体の裏面に磁気シートを取り付けて、磁性板のあらゆる箇所に形状を種々変更して磁性体を付けたを磁着させることが可能であり、装飾的形状の異なる特定の鏡体の磁着によって、鏡面を提示するとともに周囲雰囲気を変える鏡体の形状体に多彩な装飾体の形成を可能となる興趣に富んだ磁着可能な鏡形体を磁着できる装飾性形態に変更可能な鏡形体を提供するものである。【０００９】  一般的には、鏡は装飾性家具としてはほとんど活用されておらず、単に容姿を映す道具として利用しているものである。そのため、形状、寸法は大方決まっており、部屋などの装飾性としては使用されていないのが現状である。鏡としての反射、映しの効果を示して生活内に利用することはほとんどなられていない。鏡の装飾体として安全な鏡具が必要であり、部屋内、廊下、洗面場などのさっぷうけいな状態のところに、形状変更可能な鏡体を取り付けることは、明るさを与えて、雰囲気を変える要素にもなる。種々の鏡具によって脳の活性化と創造力の向上に役立たせることが期待されている。【００１０】  この考案は、斯かる状況に鑑みて成されたものであり、部屋内、廊下、洗面場で特定の形状、寸法な鏡体で創作的に配列した後に室内に明るさ、装飾性も増してきて、雰囲気も変更出来て部屋内の状況が変更できるものである。独自の精神的な気分も変更出来て、鏡体の装飾片の磁性体を付けた磁性板に磁着させることによって想像力を高める精神的安定化も与えることに利用できることを目的とするものである。
【課題を解決するための手段】
【００１１】鏡面特性と装飾意匠性の両面における機能性を引き立たせるために、横６００〜１０００ｍｍ、縦９００〜２０００ｍｍの磁性を持つ平面を有する磁性化粧板当たりに対して、角形での各辺を接して一体化の角形接合形状体になる多角形形状で一辺の長さ１５０〜３００ｍｍの鏡面で、前記鏡面の裏面に磁性体シートを貼りつけた４〜２４個の鏡体を、前記磁性化粧板上にデザイン性模様・形態を高めた種々の配置、配列に磁着できるようにしている装飾性形態に変更可能な鏡具である。【００１２】磁性を持つ平面を有する磁性化粧板は、芯材部に３〜３０ｍｍ木質板材に、表層部に２０〜５００μｍ厚さの紙、又は布、又は樹脂フィルムの表装材と、中間部に２５〜２００μｍ厚さのスチール箔を張った磁性体を吸着させることができる化粧板材であり、前記化粧板材は、芯材部の木質板材に合板、パーチクルボード、ＭＤＦ，フラッシュボードである横６００〜１０００ｍｍ、縦９００〜２０００ｍｍの寸法の木質板材で、前記木質板材の面に紙、布、樹脂上に模様をプリントした表装材とスチール箔とを接着剤によって貼着した三層積層体の磁性化粧体であって、前記磁性化粧体の数体を部屋、廊下、ホール、洗面所の壁面に張り付けた箇所に、前記鏡体の数個を種々の配置、配列によってデザイン性模様・形態を高めて模様化した一体化鏡体で磁着・固定して使用できるようになっている。【００１３】前記鏡体は、正四角形又は正六角形の角型形状で、１〜５ｍｍ厚さのガラス、及び樹脂、及び金属の材質に鏡面処理したもので、前記鏡体に縁端枠なし、又は縁端枠を取り付けたものもあり、縁端枠ありの場合には２〜２０ｍｍ縁端枠を取り付け、前記縁枠の素材と色彩として木製材、樹脂で、種々の色彩にしており、前記鏡体の裏平面に１〜５ｍｍの厚さの磁性シートを全面から１／３以上に貼りつけており、前記裏平面に貼りつける磁性シートは、フェライト系、希土類系磁石の粉末を樹脂、又はゴムとの混合したシート体にしたものであり、鏡体の裏面に、残留磁束密度（Ｂｒ）＝１〜１３ｋＧ，  保磁力（Ｈｃ）＝１〜１０ｋＯｅの磁性を示している。【００１４】前記鏡体の種々組み合わせた配置によって、部屋、廊下、ホール、洗面所の雰囲気で意匠性を高めているために、磁性化粧板上に磁着させる前記鏡体を種々配置、配列を変えたデザイン性模様・形態は、菱形状、十字状、多角形状、略丸型状、花弁状、記号状、数字状、アルファベット状、亀の子状、動物状にしている。
【考案の効果】
【００１５】磁性板のあらゆる箇所に特定の形状、寸法の鏡体である装飾片の磁性体を付けた鏡体を磁着させることが可能なって、装飾的形状の異なる鏡具の磁着によって、部屋の壁面の配置、組み立てによって表装磁性体の表面に創作的な模様を組み立て、鏡体の組み立てによる鏡具によって、創作意欲を高める働きを持った。また鏡体を独自の発想によって多彩な鏡体の像形成が形成されて興趣に富んだ装飾性形態に変更可能な鏡具に磁着できた。【００１６】鏡体を種々配置、配列を変えてデザイン性模様・形態は、四角状、十字状、多角形状、略丸型状、花弁状、記号状、数字状、アルファベット状、亀の子状、動物状の類似形に自分思いの形状に配列、組み立てることによって、前記鏡体の種々組み合わせた鏡具を設置した箇所では趣がかわり、とくに特定の形状の鏡具の配置によって、家屋、ホテル、旅館などの部屋、廊下、ホール、洗面所の雰囲気を意匠性に高めて行くこと可能になった。
【図面の簡単な説明】
【００１７】
【図１】本考案の装飾性形態に変更可能な六角鏡具を示す状態図である。Ａ：鏡体  Ｂ：マグネット付き裏面  Ｃ：断面  Ｄ：鏡体の集合体
【図２】本考案の装飾性形態に変更可能な鏡具（六角体）の形態を示す図である。Ａ：Ｓ字体  Ｂ：４個の線状  Ｃ：４個の集合体  Ｄ：壁面への鏡具付着
【図３】本考案の装飾性形態に変更可能な鏡具を壁面に装飾的に吸着させている図である。
【図４】本考案の装飾性形態に変更可能な鏡具を部屋に使用した状態図である。
【図５】本考案の装飾性形態に変更可能な鏡具（縁付四角体）の形態を示す図である。Ａ：Ｌ字体  Ｂ：十文字体
【図６】本考案の装飾性形態に変更可能な鏡（縁付四角体）具を部屋に使用した状態図である。
【考案を実施するための形態】
【００１８】本考案は鏡体を種々配置、配列を変えてデザイン性模様・形態は、十字状、多角形状、略丸型状、花弁状、アルファベット状、亀の子状で、鏡体の種々組み合わせた配置によって、部屋、廊下、ホール、洗面所の雰囲気で意匠性を高めた装飾性形態の変更可能な鏡具である。
【実施例１】
【００１９】横９００ｍｍ、縦１８００ｍｍの磁性を持つ平面を有する磁性板当たりに対して、図１に示すように、正六角形で一辺の長さが２００ｍｍの鏡面（Ａ）の裏面（Ｂ）に磁性体シートを貼りつけた、１３個の鏡体を、前記鏡体を種々配置、配列を変えてデザイン性模様・形態にして、鏡面と装飾性意匠の両面の機能を持たせている装飾性形態に変更可能な鏡具（Ｄ）であった。【００２０】図２Ｄに示すように、磁性を持つ平面を有する磁性板（７）は、内部に５ｍｍ木質板材に、表層部に３００μｍ厚さの紙の表装材と、中間部に５０μｍ厚さのスチール箔を張ったマグネット体を吸着させることができる化粧板材であり、前記化粧板材は、木質板材にＭＤＦである木質板材で、前記木質板材の面に表装材とスチール箔とを接着剤によって貼着した三層積層体であって、前記三層積層体の数体を洗面所の壁面に張り付けて使用した。【００２１】前記鏡体は、厚さ３ｍｍのガラスの材質に鏡面処理したもので、前記鏡体に縁なしで、前記鏡体の裏平面に１ｍｍの厚さの磁性シートを全面から１／２に貼りつけており、前記裏平面に貼りつける磁性シートは、希土類系磁石の粉末をゴムとの混合したシート体にしたものであり鏡体の裏面に使用した。【００２２】図４に示すように、リビングルームに、前記鏡体を種々配置、配列を変えてデザイン性模様・形態は、ブドウ状で、前記鏡体の種々組み合わせた配置によって、部屋の雰囲気で意匠性と鏡具として部屋の広さの幻想を変えた。
【実施例２】
【００２３】実施例１と同様にして、横６００〜１０００ｍｍ、縦９００〜２０００ｍｍの磁性を持つ平面を有する磁性板当たりに対して、正四角形又は正六角形で一辺の長さが１５０〜３００ｍｍの鏡面の裏面に磁性体シートを貼りつけた、４〜８個の鏡体を、前記鏡体を種々配置、配列を変えてデザイン性模様・形態にして、図２に示すように鏡面と装飾性意匠の両面の機能を持たせている装飾性形態に変更可能な鏡具を製作した。【００２４】前記鏡体は、厚さ３ｍｍのガラス、及び樹脂、及び金属の材質に鏡面処理したもので、前記鏡体に縁なし、前記縁枠の素材と色彩として木製材、樹脂で、種々の色彩にしており、前記鏡体の裏平面に１ｍｍの厚さの磁性シートを全面から１／３〜１／２に貼りつけており、前記裏平面に貼りつける磁性シートは、フェライト系、希土類系磁石の粉末をゴムとの混合したシート体にした。【００２５】図３に示すように壁面のマグネット吸着化粧板上に、前記鏡体を種々配置、配列を変えてデザイン性模様・形態は十字状、多角形状、アルファベット状、植物状で、前記鏡体の種々組み合わせた配置によって、部屋、廊下、洗面所の雰囲気で意匠性を高めた。
【実施例３】
【００２６】横９００ｍｍ、縦２０００ｍｍの磁性を持つ平面を有する磁性を持つ化粧板の壁面に、正四角形の一辺長さが３００ｍｍの鏡面の裏面に磁性体シートを貼りつけた、７個の縁あり鏡体を、前記鏡体を種々配置、配列を変えてデザイン性模様・形態にして、鏡面と装飾性意匠の両面の機能を持たせている装飾性形態に変更可能な鏡具であった。【００２７】壁面である磁性を持つ平面を有する磁性板の化粧板は、内部に５ｍｍ木質板材に、表層部に２０μｍ厚さの紙の表装材と、中間部に５０μｍ厚さのスチール箔を張ったマグネット体を吸着させることができる化粧板材であり、前記化粧板材は、木質板材にＭＤＦである横６００〜１０００ｍｍ、縦２０００ｍｍの木質板材で、前記木質板材の面に表装材とスチール箔とを接着剤によって貼着した三層積層体であって、前記三層積層体の数体を部屋の壁面に張り付けて使用した。【００２８】前記鏡体は、厚さ３ｍｍのガラス材質に鏡面処理したもので、前記鏡体に縁を取り付けたものもあり、縁の幅は１０ｍｍ縁枠を取り付け、前記縁枠の素材と色彩として樹脂で、黒と白の色彩にしており、前記鏡体の裏平面に１ｍｍ厚さの磁性シートを全面から１／２に貼りつけており、前記裏平面に貼りつける磁性シートは、希土類系磁石の粉末をゴムとの混合したシート体にしたものであり、鏡体の裏面に磁性を示した。【００２９】図６に示すように前記鏡体を種々配置、配列を変えてデザイン性模様・形態は、十字状、又はアルファベット状で、前記鏡体の種々組み合わせた配置によって、部屋の雰囲気で意匠性を高めた、また鏡として部屋の反射映像で広めに感じさせる役目をもたせた。さらに洗面場に使用すると姿を映す鏡として役目をはたした。
【符号の説明】
【００３０】  １  装飾性形態に変更可能な鏡具
２  磁性板
３  六角鏡体
４  四角鏡体
５  鏡具
６  磁性シート
７  マグネット吸着板面
８  壁面
９  縁枠
１０  部屋
１１  家具
１２  テレビ
１３  鏡面
１４  裏面
【図１】
0003218163.tif 000003
【図２】
0003218163.tif 000004
【図３】
0003218163.tif 000005
【図４】
0003218163.tif 000006
【図５】
0003218163.tif 000007
【図６】
0003218163.tif 000008